(57)【要約】      （修正有）【課題】視聴者の注意をより惹くことが出来る表示装置を提供すること。【解決手段】画像を表示する側の面が凸に湾曲している後面画像表示部１１と、後面画像表示部の表示面の前方に設置され、画像を表示する側の面が凸に湾曲している前面画像表示部１２であって、後面画像表示部１１が表示した画像の光を透過する前面画像表示部１２とを備える。表示装置１０は、前記後面画像表示部１１、前面画像表示部１２と画像処理装置１３から構成され、立体錯視現象を利用し、立体像を視聴者に知覚させる。【選択図】図１
2015142153.tif 000002
【特許請求の範囲】
【請求項１】
画像を表示する側の面が凸に湾曲している後面画像表示部と、
前記後面画像表示部の表示面の前方に設置され、画像を表示する側の面が凸に湾曲している前面画像表示部であって、前記後面画像表示部が表示した画像の光を透過する前面画像表示部と
を備えることを特徴とする表示装置。
【請求項２】
前記後面画像表示部の表示面および前記前面画像表示部の表示面が、円筒形であることを特徴とする請求項１に記載の表示装置。
【請求項３】
前記前面画像表示部または前記後面画像表示部の表示面を、前記表示面に沿って移動させる表示部駆動部を備えることを特徴とする請求項１に記載の表示装置。
【請求項４】
画像を取得する画像取得部と、
前記取得した画像から、前記前面画像表示部が表示する前面画像と、前記後面画像表示部が表示する後面画像とを生成する画像変換部と
を備え、
前記画像変換部は、前記前面画像と前記後面画像とが重なって見えるときに、前記前面画像と前記後面画像とからなる立体像が平面に感じられるように、前記取得した画像の各画素の輝度を調整して、前記前面画像と前記後面画像とを生成すること
を特徴とする請求項１に記載の表示装置。
【請求項５】
ユーザの位置を検出する検出部を備え、
前記画像変換部は、前記検出部がユーザを検出した位置から見たときに、前記前面画像と前記後面画像とが重なって見えるように、前記前面画像と前記後面画像とを、前記前面画像表示部と前記後面画像表示部とに表示させること
を特徴とする請求項４に記載の表示装置。
【請求項６】
前記後面画像表示部と、前記前面画像表示部との間に、前記後面画像表示部の表示面に沿って湾曲しているフィルタ部が設けられ、
前記フィルタ部の光の透過率は、前記フィルタ部の表面に対して垂直な方向が最大であり、前記垂直な方向に対する横方向の角度が大きい方向ほど、小さくなること
を特徴とする請求項１に記載の表示装置。
【請求項７】
コンピュータを、
画像を取得する画像取得部、
前記取得した画像から、画像を表示する側の面が凸に湾曲している後面画像表示部が表示する後面画像と、前記後面画像表示部の表示面の前方に設置され、画像を表示する側の面が凸に湾曲している前面画像表示部であって、前記後面画像表示部が表示した画像の光を透過する前面画像表示部が表示する前面画像とを生成する画像変換部、
として機能させるためのプログラムであって、
前記画像変換部は、所定の位置から見たときに、前記前面画像表示部に表示される前記前面画像と、前記後面画像表示部に表示される前記後面画像とが重なって見えるように、前記前面画像と前記後面画像とを生成すること
を特徴とするプログラム。
【発明の詳細な説明】
【技術分野】
【０００１】
本発明は、表示装置およびプログラムに関する。
【背景技術】
【０００２】
近年、３次元画像の奥行き位置に応じて輝度比を付けた二つの画像を、奥行き位置の異なる手前の表示面と奥の表示面とに表示して両眼視差を生じさせることにより、ユーザに立体感を知覚させる立体錯視現象（ＤＦＤ（Depth-Fused 3-D）錯視現象ともいう）を用いた表示方法が知られている（例えば、特許文献１を参照）。
【先行技術文献】
【特許文献】
【０００３】
【特許文献１】特許第３４６４６３３号公報
【発明の概要】
【発明が解決しようとする課題】
【０００４】
しかしながら、上記のような表示方法においては、視聴者は、特定の位置にいると、立体像を知覚できるため、視聴者の注意を惹くことができるが、より注意を惹くことができる方が望ましいことがある。
【０００５】
本発明は、このような事情に鑑みてなされたもので、視聴者の注意を惹くことが出来る表示装置およびプログラムを提供する。
【課題を解決するための手段】
【０００６】
この発明は上述した課題を解決するためになされたもので、本発明の一態様は、画像を表示する側の面が凸に湾曲している後面画像表示部と、前記後面画像表示部の表示面の前方に設置され、画像を表示する側の面が凸に湾曲している前面画像表示部であって、前記後面画像表示部が表示した画像の光を透過する前面画像表示部とを備えることを特徴とする表示装置である。
【０００７】
また、本発明の他の態様は、コンピュータを、画像を取得する画像取得部、前記取得した画像から、画像を表示する表示面が表示方向に凸に湾曲している後面画像表示部が表示する後面画像と、前記後面画像表示部の表示面の前方に設置され、画像を表示する表示面が表示方向に凸に湾曲している前面画像表示部であって、前記後面画像表示部が表示した画像の光を透過する前面画像表示部が表示する前面画像とを生成する画像変換部、として機能させるためのプログラムであって、前記画像変換部は、前記前面画像と前記後面画像とが重なって見えるときに、前記前面画像と前記後面画像とからなる立体像が平面に感じられるように、前記取得した画像の各画素の輝度を調整して、前記前面画像と前記後面画像とを生成することを特徴とする。
【発明の効果】
【０００８】
この発明によれば、視聴者の注意を惹くことが出来る。
【図面の簡単な説明】
【０００９】
【図１】この発明の第１の実施形態による表示装置１０の構成を示す外観図である。
【図２】同実施形態による後面画像表示部１１と前面画像表示部１２の一部を拡大した図である。
【図３】同実施形態による画像処理装置１３の構成を示す概略ブロック図である。
【図４】同実施形態による後面画像表示部１１と前面画像表示部１２の配置を示す上面図である。
【図５】同実施形態による視聴者が位置Ｅｐからずれたときの前面画像と後面画像とのずれを説明する上面図である。
【図６】同実施形態の変形例における後面画像表示部１１と、前面画像表示部１２との配置を示す上面図である。
【図７】この発明の第２の実施形態による表示装置１０aの構成を示す概略ブロック図である。
【図８】同実施形態による表示部駆動部１４ａによる後面画像表示部１１の揺動を説明する上面図である。
【図９】この発明の第３の実施形態による表示装置１０ｂの構成を示す概略ブロック図である。
【図１０】同実施形態による輝度配分比記憶部３６ｂが記憶する輝度配分比を説明する上面図である。
【図１１】この発明の第４の実施形態による表示装置１０ｃの構成を示す外観図である。
【図１２】同実施形態による画像処理装置１３ｃの構成を示す概略ブロック図である。
【図１３】この発明の第５の実施形態による表示装置１０ｄの構成を示す概略ブロック図である。
【図１４】同実施形態によるフィルタ部１６ｄの配置を説明する上面図である。
【発明を実施するための形態】
【００１０】
［第１の実施形態］
以下、図面を参照して、本発明の第１の実施形態について説明する。図１は、この発明の第１の実施形態による表示装置１０の構成を示す外観図である。表示装置１０は、立体錯視現象（ＤＦＤ（Depth-Fused 3-D）錯視現象ともいう）を利用して、立体像を視聴者に知覚させる画像表示システムである。図１に示すように、表示装置１０は、後面画像表示部１１、前面画像表示部１２、画像処理装置１３を含んで構成される。
【００１１】
後面画像表示部１１は、画像処理装置１３から入力された後面画像信号に従い、画像を表示する。図１に示すように後面画像表示部１１は、画像を表示する側の面（以降、表示面という）が凸に湾曲している。前面画像表示部１２は、画像処理装置１３から入力された前面画像信号に従い、画像を表示する。図１に示すように前面画像表示部１２も、表示面が凸に湾曲している。前面画像表示部１２は、後面画像表示部１１の表示面の前方に設置されており、後面画像表示部１１が表示した画像の光を透過する。
【００１２】
画像処理装置１３は、表示する画像を表す画像信号と、該画像の奥行き情報とを入力されると、該画像が奥行き情報に従った立体感が得られる画像となるように、前面画像信号と、後面画像信号とを生成する。画像処理装置１３は、生成した前面画像信号を前面画像表示部１２に、後面画像信号を後面画像表示部１１に入力する。
【００１３】
図２は、後面画像表示部１１と前面画像表示部１２の一部を拡大した図である。前面画像表示部１２は、板材１２０、ＬＥＤ（Light Emitting Diode；発光ダイオード）１２１を含んで構成される。板材１２０は、後面画像表示部１１の光を透過する透明な樹脂からなり、前面画像表示部１２の表示面に沿った板状の部材である。ＬＥＤ１２１は、板材１２０の表面に間隔をおいて設置されている発光ダイオードであり、前面画像表示部１２の表示素子である。前面画像表示部１２は、ＬＥＤ１２１各々の輝度を前面画像信号に応じて調節することで、前面画像を表示する。
【００１４】
後面画像表示部１１は、板材１１０、ＬＥＤ１１１を含んで構成される。板材１１０は、後面画像表示部１１の表示面に沿った板状の部材である。ＬＥＤ１１１は、板材１１０の表面に間隔をおいて設置されている発光ダイオードである。後面画像表示部１１は、ＬＥＤ１１１各々の輝度を前面画像信号に応じて調節することで、前面画像を表示する。
【００１５】
ＬＥＤ１２１同士の間隔が、ＬＥＤ１１１よりも大きく、ＬＥＤ１１１同士の間隔が、ＬＥＤ１２１よりも大きくなっている。このため、立体像を知覚できる視点位置の範囲外にいる視聴者には、前面画像と後面画像とが入り混じって見えるため、画像の内容が分かり辛い。さらに、ＬＥＤ１２１およびＬＥＤ１１１は、互いに重ならないように配置されている。言い換えると、ＬＥＤ１１１を湾曲の径方向に前面画像表示部１２の表示面に投影したときに、投影された領域と、ＬＥＤ１２１とは重複しない。
なお、ＬＥＤ１１１およびＬＥＤ１２１のそれぞれは、赤色に発光するもの、緑色に発光するもの、青色に発光するものが分散して配置されていてもよいし、各々が赤色と緑色と青色の発光ダイオードを有していてもよい。
【００１６】
なお、前面画像表示部１２は、後面画像表示部１１が表示した画像の光を透過するように、例えば、透明な液晶ディスプレイであってもよいし、透明な板に隙間を空けて、上述のＬＥＤ１２１に変えて、液晶ディスプレイ、有機ＥＬ（Electro Luminescence）ディスプレイなどの表示素子が配列されていてもよいし、透明な板ではなく、格子状に組まれた部材にＬＥＤ、液晶ディスプレイ、有機ＥＬディスプレイなどの表示素子が配列されていてもよい。なお、前面画像表示部１２は、ＬＥＤが配列されているときは、該ＬＥＤ各々の輝度を前面画像信号に従った輝度とすることで、画像を表示する。液晶ディスプレイ、有機ＥＬディスプレイが配列されている場合は、前面画像表示部１２は、各ディスプレイに前面画像のうち、該ディスプレイの設置位置に対応する部分を表示させることで、前面画像を表示する。
【００１７】
また、後面画像表示部１１も、上述のＬＥＤ１１１に変えて、液晶ディスプレイ、有機ＥＬ（Electro Luminescence）ディスプレイなどの表示素子が、ＬＥＤ１１１と同様に隙間を空けて配列されていてもよい。なお、後面画像表示部１１は、ＬＥＤが配列されているときは、該ＬＥＤ各々の輝度を後面画像信号に従った輝度とすることで、画像を表示する。液晶ディスプレイ、有機ＥＬディスプレイが配列されている場合は、後面画像表示部１１は、各ディスプレイに後面画像のうち、該ディスプレイの設置位置に対応する部分を表示させることで、後面画像を表示する。
【００１８】
図３は、画像処理装置１３の構成を示す概略ブロック図である。画像処理装置１３は、画像取得部３１、奥行き情報取得部３２、画像変換部３３を含んで構成される。  画像取得部３１は、表示する画像を取得する。画像取得部３１は、例えば、他装置と通信して画像を受信してもよいし、ハードディスク、メモリカードなどの記録媒体から画像を読み出してもよいし、カメラなどの撮像部が撮像した画像を取得してもよい。
【００１９】
奥行き情報取得部３２は、画像取得部３１が取得した画像の奥行き情報を取得する。奥行き情報は、対応する画像の各画素が表す被写体の奥行き方向（視線方向）の位置を表す情報である。本実施形態では、奥行き情報は、各画素に関する、視点から離れるほど大きくなる奥行き値からなる情報である。奥行き情報取得部３２は、奥行き情報を、例えば、他装置と通信して受信してもよいし、ハードディスク、メモリカードなどの記録媒体から読み出してもよい。また、奥行き情報取得部３２は、ステレオカメラが撮像した画像から視差を算出し、該視差を距離に変換して奥行き情報としてもよいし、距離画像センサが撮像した距離画像を奥行き情報としてもよい。
【００２０】
画像変換部３３は、奥行き情報取得部３２が取得した奥行き情報を参照して、画像取得部３１が取得した画像に対して、輝度を調整して、前面画像表示部１２に表示させる前面画像と、後面画像表示部１１に表示させる後面画像とを生成する。このとき、画像変換部３３は、立体錯視現象により、前面画像表示部１２と後面画像表示部１１の間の奥行き情報に応じた位置に、画像中の被写体の立体像があると、ユーザにより知覚されるように、前面画像および後面画像の画素各々の輝度を変換する。
【００２１】
以下で、画像変換部３３の詳細を説明する。画像変換部３３は、後面画像位置調整部３４、後面画像輝度変換部３５、輝度配分比決定部３６、前面画像位置調整部３７、前面画像輝度変換部３８を含んで構成される。後面画像位置調整部３４は、予め決められた視点から見たときに、前面画像表示部１２に表示されている画像の各被写体と、後面画像表示部１１に表示されている画像の各被写体とが同じ視線方向となり、重なって見えるように、画像取得部３１が取得した画像を、後面画像表示部１１向けに調整し、調整した画像を後面画像輝度変換部３５に入力する。
【００２２】
後面画像輝度変換部３５は、輝度配分比決定部３６が決定した、後面画像の画素各々の輝度配分比Ｂｒを、後面画像位置調整部３４から入力された画像の各画素値に乗算して、該画像の画素値を変換する。後面画像輝度変換部３５は、画素値を変換した画像を、後面画像として後面画像表示部１１に表示させる。
【００２３】
輝度配分比決定部３６は、奥行き情報取得部３２が取得した奥行き情報を参照して、画素位置毎に前面画像と後面画像との輝度の配分比を決定する。輝度配分比決定部３６は、前面画像の輝度配分比である輝度配分比Ｆｒを前面画像輝度変換部３８に入力し、後面画像の輝度配分比である輝度配分比Ｂｒを後面画像輝度変換部３５に入力する。例えば、奥行き値Ｄｆの被写体の立体像が前面画像表示部１２の表示面にあり、奥行き値Ｄｂの被写体の立体像が後面画像表示部１１の表示面にあるように、表示するときは、輝度配分比決定部３６は、奥行き値がＤの画素の輝度配分比Ｆｒ、Ｂｒを、以下のようにして算出する。
【００２４】
Ｄ＜Ｄｆのときは、Ｆｒ＝１、Ｂｒ＝０とする。Ｄｆ＜Ｄ＜Ｄｂのときは、Ｆｒ：Ｂｒ＝Ｄ−Ｄｆ：Ｄｂ−Ｄ、Ｆｒ＋Ｂｒ＝１を満たすＦｒ、Ｂｒとする。Ｄｂ＜Ｄのときは、Ｆｒ＝０、Ｂｒ＝１とする。なお、Ｄｆ、Ｄｂについては、ユーザが設定するなどした値を、輝度配分比決定部３６が予め記憶していてもよいし、取得した奥行き情報に含まれる奥行き値のうち、最小値をＤｆとし、最大値をＤｂとしてもよい。
【００２５】
前面画像位置調整部３７は、上述の予め決められた視点から見たときに、前面画像表示部１２に表示されている画像の各被写体と、後面画像表示部１１に表示されている画像の各被写体とが同じ視線方向となるように、画像取得部３１が取得した画像を、前面画像表示部１２向けに調整し、調整した画像を前面画像輝度変換部３８に入力する。前面画像輝度変換部３８は、輝度配分比決定部３６が決定した、前面画像の画素各々の輝度配分比Ｆｒを、前面画像位置調整部３７から入力された画像の各画素値に乗算して、該画像の画素値を変換する。前面画像輝度変換部３８は、画素値を変換した画像を、前面画像として前面画像表示部１２に表示させる。
【００２６】
図４は、後面画像表示部１１と前面画像表示部１２の配置を示す上面図である。前述したように後面画像表示部１１と前面画像表示部１２は、表示方向に凸に湾曲している。位置Ｅｐは、表示装置１０が表示している立体像を知覚できる、予め決められた位置である。すなわち、後面画像位置調整部３４および前面画像位置調整部３７による調整の結果により、前面画像表示部１２に表示されている画像の被写体各々と、後面画像表示部１１に表示されている画像の被写体各々とが重なって見える位置である。
【００２７】
したがって、図４の位置Ｅｐからの視線Ｅｒと、前面画像表示部１２との交点Ｐ２に表示されている被写体と、視線Ｅｒと後面画像表示部１１との交点Ｐ１に表示されている被写体とは同一の被写体である。さらに、該被写体が前面画像表示部１２で表示されている輝度と、後面画像表示部１１で表示されている輝度の比は、輝度配分比決定部３６が決定した配分比となっている。
【００２８】
図５は、視聴者が位置Ｅｐからずれたときの前面画像と後面画像とのずれを説明する上面図である。図５において、位置Ｅｐは、立体像を知覚することができる位置である。点Ｅｐからずれた点Ｅｐ’から見たときに、従来のように、前面画像と、後面画像とが、平面に表示されている場合と、本実施形態とを比較する。点Ｐ２は、視聴者が位置Ｅｐにいたときの視線Ｅｒと、前面画像表示部１２との交点であり、点Ｐ１は、視聴者が位置Ｅｐにいたときの視線Ｅｒと、後面画像表示部１１との交点である。すなわち、点Ｐ１と、点Ｐ２とには同じ被写体が表示されている。
【００２９】
破線１２ｐは、点Ｐ２を通る直線であり、前面画像表示部１２に対する比較対象である平面に表示されている前面画像を示す。破線１１ｐは、破線１２ｐから、後面画像表示部１１と前面画像表示部１２との間の距離だけ離れた直線であり、後面画像表示部１１に対する比較対象である平面に表示された後面画像を示す。点Ｐ１ｐは、視聴者が位置Ｅｐにいたときの視線Ｅｒと、破線１１ｐとの交点である。すなわち、平面の前面画像と後面画像は、点Ｐ１ｐと、点Ｐ２とには同じ被写体を表示する。
【００３０】
視聴者が位置Ｅｐからずれた位置Ｅｐ’にいる場合を考える。位置Ｅｐ’から点Ｐ２を通る視線Ｅｒ’を考える。視線Ｅｒ’と後面画像表示部１１との交点Ｐ１’は、位置Ｅｐ’にいる視聴者から点Ｐ２と重なって見える。これに対し、従来のように後面画像が平面であるときは、点Ｐ２と重なって見えるのは、視線Ｅｒ’と破線１１ｐとの交点Ｐ１ｐ’である。このとき、交点Ｐ１’に表示される被写体は、交点Ｐ１ｐ’に表示されるべき被写体よりも、画像中で左側の被写体となる。すなわち、視聴者が位置Ｅｐからずれたときの、前面画像と後面画像とのずれは、従来のように、前面画像と後面画像とが平面であるときよりも、本実施形態の方が大きい。
【００３１】
このように、後面画像表示部１１と、前面画像表示部１２とは、表示方向に凸に湾曲しているので、後面画像表示部１１と、前面画像表示部１２とが平面であるときよりも、視点が移動したときの前面画像と後面画像とのずれが大きくなる。すなわち、立体像を知覚できる視点位置の範囲を限定されるので、該範囲内に来た視聴者には、立体像が突然現れたように感じられるので、注意を惹くことが出来る。
【００３２】
［第１の実施形態の変形例］
本変形例では、後面画像表示部１１と、前面画像表示部１２とは、円筒形をしている。図６は、本変形例における後面画像表示部１１と、前面画像表示部１２との配置を示す上面図である。図６に示すように、後面画像表示部１１および前面画像表示部１２は、円筒形をしている。後面画像表示部１１の直径は、前面画像表示部１２よりも小さく、後面画像表示部１１の表示面からなる円の中心と、前面画像表示部１２の表示面からなる円の中心とは一致している。
【００３３】
図６に示すように、本変形例では、後面画像表示部１１と、前面画像表示部１２とが、円筒形をしているので、複数の位置Ｅｐ１〜Ｅｐ４から立体像が知覚できるように、各位置に対応した画像を、後面画像表示部１１と、前面画像表示部１２とに表示するようにしてもよい。なお、複数の位置Ｅｐ１〜Ｅｐ４は、後面画像表示部１１と、前面画像表示部１２とからの距離は、互いに異なっていてもよい。
【００３４】
後面画像表示部１１と、前面画像表示部１２とは、円筒形であっても、表示方向に凸に湾曲している。したがって、本変形例においても、第１の実施形態と同様に、立体像を知覚できる視点位置の範囲を限定されるので、該範囲内に来た視聴者には、立体像が突然現れたように感じられるので、注意を惹くことが出来る。
【００３５】
また、第１の実施形態および本変形例において、後面画像表示部１１と、前面画像表示部１２の各々は、複数の表示素子により画像を表示しており、該表示素子同士は、間隔を置いて配置されている。このため、立体像を知覚できる視点位置の範囲外にいる視聴者には、前面画像と後面画像とが入り混じった画像として見えるため、画像の内容が分かり辛い。一方、立体像を知覚できる視点位置の範囲内にいる視聴者には、前面画像と後面画像とによる立体像が知覚できる。このため、該範囲内に来た視聴者には、内容の不明な画像から、立体像が突然現れたように感じられるので、さらに注意を惹くことが出来る。
【００３６】
［第２の実施形態］
以下、図面を参照して、本発明の第２の実施形態について説明する。図７は、この発明の第２の実施形態による表示装置１０aの構成を示す概略ブロック図である。図７において、図３の各部に対応する部分には同一の符号（１１〜１３、３１〜３８）を付し、説明を省略する。本実施形態による表示装置１０ａは、後面画像表示部１１を左右方向に揺動する表示部駆動部１４ａを有する点が、図３の表示装置１０と異なる。
【００３７】
図８は、表示部駆動部１４ａによる後面画像表示部１１の揺動を説明する上面図である。図８に示すように、表示部駆動部１４ａは、後面画像表示部１１を、その表示面に沿って左右に揺動する。これにより、位置Ｅｐにいる視聴者は、揺動されている後面画像表示部１１が特定の位置に来たときだけ、立体像を知覚することができる。すなわち、視聴者には、立体像が現れたり、消えたりしているように感じられ、より視聴者の注意を惹くことが出来る。
【００３８】
なお、本実施形態では、表示部駆動部１４ａは、後面画像表示部１１を揺動したが、前面画像表示部１２を揺動してもよいし、後面画像表示部１１および前面画像表示部１２を揺動するようにしてもよい。
【００３９】
［第３の実施形態］
以下、図面を参照して、本発明の第３の実施形態について説明する。図９は、この発明の第３の実施形態による表示装置１０ｂの構成を示す概略ブロック図である。同図において、図３の各部に対応する部分には同一の符号（１１、１２、３１、３４、３５、３７、３８）を付し、説明を省略する。表示装置１０ｂは、後面画像表示部１１、前面画像表示部１２、画像処理装置１３ｂを含んで構成される。画像処理装置１３ｂは、画像取得部３１、画像変換部３３ｂを含んで構成される。
【００４０】
画像変換部３３ｂは、後面画像位置調整部３４、後面画像輝度変換部３５、輝度配分比記憶部３６ｂ、前面画像位置調整部３７、前面画像輝度変換部３８を含んで構成される。輝度配分比記憶部３６ｂは、立体像として平面が知覚されるような、画素位置毎の輝度配分比を記憶しており、前面画像の輝度配分比を前面画像輝度変換部３８に入力し、後面画像の輝度配分比を後面画像輝度変換部３５に入力する。
【００４１】
図１０は、輝度配分比記憶部３６ｂが記憶する輝度配分比を説明する上面図である。直線Ｐｌは、立体像として知覚させる平面である。視線Ｅｒ１の、後面画像表示部１１との交点から直線Ｐｌとの交点までの長さＢｒ１と、視線Ｅｒ１の、直線Ｐｌとの交点から前面画像表示部１２との交点までの長さＦｒ１との比を、交点に位置する画素の輝度配分比として、輝度配分比記憶部３６ｂは記憶する。
【００４２】
同様に、視線Ｅｒ２の、後面画像表示部１１との交点から直線Ｐｌとの交点までの長さＢｒ２と、視線Ｅｒ２の、直線Ｐｌとの交点から前面画像表示部１２との交点までの長さＦｒ２との比を、交点に位置する画素の輝度配分比として、輝度配分比記憶部３６ｂは記憶する。このように、輝度配分比記憶部３６ｂは、各視線の、後面画像表示部１１との交点から直線Ｐｌとの交点までの長さと、視線Ｅｒ２の、直線Ｐｌとの交点から前面画像表示部１２との交点までの長さとの比を、交点に位置する画素の輝度配分比として、記憶する。
【００４３】
これにより、第１の実施形態と同様の効果が得られる。さらに、前面画像表示部１２が、表示方向に凸に湾曲しているにも関わらず、視聴者には、画像が平面に表示されていると感じられるので、より注意を惹くことが出来る。
【００４４】
［第４の実施形態］
以下、図面を参照して、本発明の第４の実施形態について説明する。図１１は、この発明の第４の実施形態による表示装置１０ｃの構成を示す外観図である。図１１において、図１の各部に対応する部分には同一の符号（１１、１２）を付し、説明を省略する。本実施形態における表示装置１０ｃは、後面画像表示部１１、前面画像表示部１２、画像処理装置１３ｃ、視聴位置検出部１５ｃを含んで構成される。視聴位置検出部１５ｃは、ビデオカメラなどを有し、視聴者の位置を検出し、画像処理装置１３ｃに入力する。画像処理装置１３ｃは、該視聴者の位置を参照して、該視聴者の位置から、立体像として平面が知覚されるように、後面画像と、前面画像を生成する。
【００４５】
図１２は、画像処理装置１３ｃの構成を示す概略ブロック図である。図１２において、図３の各部に対応する部分には、同一の符号（１１、１２、３１、３４、３５、３７、３８）を付し、説明を省略する。画像処理装置１３ｃは、画像取得部３１、画像変換部３３ｃを含んで構成される。画像変換部３３ｃは、後面画像位置調整部３４、後面画像輝度変換部３５、輝度配分決定部３６ｃ、前面画像位置調整部３７、前面画像輝度変換部３８を含んで構成される。
【００４６】
輝度配分決定部３６ｃ、視聴位置検出部１５ｃから入力された視聴者の位置に応じた輝度配分比を決定し、後面画像輝度変換部３５と、前面画像輝度変換部３８とに入力する。なお、輝度配分決定部３６ｃは、各視聴者の位置に応じた輝度配分比であって、該位置から立体像として平面が知覚される輝度配分比を予め記憶しており、それらの中から、視聴位置検出部１５ｃから入力された視聴者の位置に応じたものを抽出して、輝度配分比決定部３６に入力する。
【００４７】
これにより、視聴者の位置に関わらず、前面画像表示部１２が、表示方向に凸に湾曲しているにも関わらず、視聴者には、画像が平面に表示されていると感じられるので、より注意を惹くことが出来る。
【００４８】
［第５の実施形態］
以下、図面を参照して、本発明の第５の実施形態について説明する。図１３は、この発明の第５の実施形態による表示装置１０ｄの構成を示す概略ブロック図である。図１３において、図３の各部に対応する部分には同一の符号（１１、１２、３１、３４、３７）を付し、説明を省略する。表示装置１０ｄは、後面画像表示部１１、前面画像表示部１２、画像処理装置１３ｄ、フィルタ部１６ｄを含んで構成される。
【００４９】
画像処理装置１３ｄは、画像取得部３１、画像変換部３３ｄを含んで構成され、画像変換部３３ｄは、後面画像位置調整部３４、前面画像位置調整部３７を含んで構成される。画像処理装置１３は、後面画像位置調整部３４が調整した画像を後面画像として、後面画像表示部１１に表示させ、前面画像位置調整部３７が調整した画像を前面画像として、前面画像表示部１２に表示させる。フィルタ部１６ｄの光の透過率は、フィルタ部１６ｄの表面に対して垂直な方向が最大であり、該垂直な方向に対する横方向の角度が大きい方向ほど、小さくなる。フィルタ部１６ｄは、例えば、表面に対して垂直な向きのルーバーを有することで、このような透過率を実現する。
【００５０】
図１４は、フィルタ部１６ｄの配置を説明する上面図である。フィルタ部１６ｄは、図１４に示すように、後面画像表示部１１と、前面画像表示部１２との間に設けられている。フィルタ部１６ｄは、フィルタ面に垂直な方向の光の透過率よりも、左右に方向がずれるほど透過率が小さくなるので、該フィルタ部１６ｄを介して見える後面画像は、中心付近が最も輝度が高く、左右にずれるほど、暗く見える。一方、前面画像の輝度は、画像取得部３１が取得した画像のままとなっている。したがって、視聴者が知覚する立体像は、視聴者がどの方向にいても、自身の正面付近は、後面画像表示部１１に近く、正面から離れるほど、前面画像表示部１２に近く、すなわち前面画像表示部１２とは異なる曲率を持っているように見える。
【００５１】
なお、フィルタ部１６ｄの表面に垂直な方向から左右にずれたときの、フィルタ部１６ｄの透過度の減少度合いは、フィルタ部１６ｄが例えば、表面に対して垂直な向きのルーバーを有している場合、フィルタ部１６ｄの表面に対して垂直な方向の、該ルーバーの長さを長くするほど、大きくすることができる。そして、ルーバーが短く、透過度の減少度合いが小さい場合は、視聴者が知覚する立体像は、前面画像表示部１２よりも曲率が小さい面に感じられるが、長いルーバーとし、減少度合いを大きくするにしたがって、曲率はさらに小さくなっていき、ほぼ平面に感じられようにすることもできる。さらに長いルーバーとし、減少度合いをさらに大きくすることで、前面画像表示部１２の湾曲と逆方向に湾曲しているように感じられようにすることもできる。
【００５２】
これにより、視聴者の位置に関わらず、前面画像表示部１２が、表示方向に凸に湾曲しているにも関わらず、視聴者には、画像が前面画像表示部１２とは異なる曲率の面に表示されていると感じられるので、より注意を惹くことが出来る。
【００５３】
なお、上述の各実施形態において、後面画像位置調整部３４が、立体像の輪郭部分のみを画像取得部３１が取得した画像から抽出した後に、上述の画像の調整を行うなどして、後面画像表示部１１が、立体像の輪郭部分のみを表示するようにしてもよい。
また、上述の各実施形態において、後面画像、前面画像ともに、輝度値を変換して、所定の輝度比となるようにしているが、いずれか一方の輝度値を変換して、所定の輝度比となるようにしてもよい。
【００５４】
また、第２から第５の実施形態においても、第１の実施形態の変形例と同様に、後面画像表示部１１と、前面画像表示部１２とを円筒形としてもよい。第２の実施形態において、後面画像表示部１１と、前面画像表示部１２とが円筒形であるときは、表示部駆動部１４ａは、後面画像表示部１１または前面画像表示部１２を回転させるようにしてもよいし、後面画像表示部１１と前面画像表示部１２とを逆方向に回転させるようにしてもよい。
また、上述の各実施形態において、後面画像表示部１１と、前面画像表示部１２とを、球などのその他の回転体または該回転体の一部にしてもよい。球であるときは、第２の実施形態における揺動あるいは回転は、左右ではなく、上下など、その他の方向であってもよい。
【００５５】
また、図４における画像処理装置１３、図９における画像処理装置１３ｂ、図１２における画像処理装置１３ｃ、図１３における画像処理装置１３ｄの機能を実現するためのプログラムをコンピュータ読み取り可能な記録媒体に記録して、この記録媒体に記録されたプログラムをコンピュータシステムに読み込ませ、実行することにより各装置を実現してもよい。なお、ここでいう「コンピュータシステム」とは、ＯＳや周辺機器等のハードウェアを含むものとする。
【００５６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５７】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００５８】
１０、１０ａ、１０ｂ、１０ｃ、１０ｄ…表示装置
１１…後面画像表示部
１２…前面画像表示部
１３、１３ｂ、１３ｃ、１３ｄ…画像処理装置
１４ａ…表示部駆動部
１５ｃ…視聴者位置検出部
１６ｄ…フィルタ部
３１…画像取得部
３２…奥行き情報取得部
３３、３３ｂ、３３ｃ、３３ｄ…画像変換部
３４…後面画像位置調整部
３５…後面画像輝度変換部
３６、３６ｃ…輝度配分比決定部
３６ｂ…輝度配分比記憶部
３７…前面画像位置調整部
３８…前面画像輝度変換部
【図１】
2015142153.tif 000003
【図２】
2015142153.tif 000004
【図３】
2015142153.tif 000005
【図４】
2015142153.tif 000006
【図５】
2015142153.tif 000007
【図６】
2015142153.tif 000008
【図７】
2015142153.tif 000009
【図８】
2015142153.tif 000010
【図９】
2015142153.tif 000011
【図１０】
2015142153.tif 000012
【図１１】
2015142153.tif 000013
【図１２】
2015142153.tif 000014
【図１３】
2015142153.tif 000015
【図１４】
2015142153.tif 000016